(57)【要約】【課題】  この発明は、装置内の温度状況にかかわらず被転写体の自由度を高めることができ、また画像転写時に中間転写リボンと被転写体を短時間で良好に転写できる印刷装置を提供することを課題とする。【解決手段】  印刷装置は、巻取軸によって巻き取られることで所定方向に走行する中間転写リボン２８を有する。中間転写リボン２８は、基材フィルム２８ａ上に、印刷部で画像が印刷される受像層２８ｃを有する。画像が印刷された受像層２８ｃは、ヒートローラ２６を通過することで加熱されて被転写体である通帳Ｔに転写される。転写後、受像層２８ｃを剥離シャフト３３の上流側の冷却装置１００で充分に冷却された後、基材フィルム２８ａから剥離する。【選択図】  図２
2008055731.tif 000002
【特許請求の範囲】
【請求項１】
中間転写リボンに画像を印刷する印刷部と、
この印刷部により印刷された前記中間転写リボンを被転写体に重ねて中間転写リボンを加熱することにより画像を被転写体の転写位置に転写する転写部と、
この転写部で転写後に前記中間転写リボンと前記被転写体とを剥離する剥離機構と
前記転写部と前記剥離機構との間に設けられた被転写体冷却部と、
この被転写体冷却部に設けられ前記転写部で加熱された中間転写リボンを冷却する強制冷却装置と
を有することを特徴とする印刷装置。
【請求項２】
前記被転写体冷却部に設けられ前記被転写体冷却部近傍の温度を検出する第１の検出手段をさらに有し、
この第１の検出手段で検出した結果により被転写体の転写位置の被転写体冷却部滞留時間を決定する
ことを特徴とする請求項１に記載の印刷装置。
【請求項３】
前記冷却装置が前記中間転写リボンに空気を送風する冷却ファンであることを特徴とする
請求項１又は請求項２に記載の印刷装置。
【請求項４】
前記冷却ファンと前記被転写体冷却部との間に設けられ、
前記冷却ファンで発生された風を前記被転写体冷却部に導くダクト部をさらに有することを特徴とする
請求項３に記載の印刷装置。
【請求項５】
前記制御部は前記被転写体冷却部近傍の温度に対応する前記被転写体冷却部の被転写体の通過速度に関する速度情報を記憶する記憶部を有し、
前記検出手段の検出結果に基づいて前記記憶部から装置内温度に対応する速度情報を読み出し、
この速度情報によって被転写体の速度の関する動作事項を決定することを特徴とする請求項１乃至４に記載の印刷装置
【請求項６】
中間転写リボンに画像を印刷する印刷部と、
この印刷部により印刷された前記中間転写リボンを被転写体に重ねて加熱部によって中間転写リボンを加熱することにより画像を被転写体の転写位置に転写する転写部と、
前記被転写体の前記転写部への搬入経路近傍に設けられ、装置内の温度を検出する第２の検出手段と、
この第２の検出手段による検出結果に基づいて、前記加熱部通過時の中間転写リボン及び被転写体の搬送速度を決定する制御部と、
を有することを特徴とする印刷装置。
【請求項７】
前記制御部は前記転写部への搬入経路近傍の装置内の温度に対応する前記転写部内の被転写体の通過の速度に関する情報を記憶する記憶部を有し、
前記第２の検出手段の検出結果に基づいて前記記憶部から装置内温度に対応する速度情報を読み出し、
この速度情報によって被転写体の搬送速度を決定することを特徴とする請求項６に記載の印刷装置
【発明の詳細な説明】
【技術分野】
【０００１】
この発明は、中間転写リボンに印刷された画像を被転写体に転写する印刷装置に関する。
【背景技術】
【０００２】
近年、銀行カードや通帳等においてはＩＣ（Ｉｎｔｅｇｒａｔｅｄ  Ｃｉｒｃｕｉｔの略、以下ＩＣ）等が埋め込まれたものがあり、ＩＣ等の埋め込みにより、通帳類の表面に生じる凹凸が表面への情報等を印刷する場合に良好な印刷ができない原因になっていた。また、通帳への高画質な印刷を行う場合には、通帳の紙の繊維などによる微小な凹凸が画質の低下の原因になっていた。
【０００３】
そこで、カードや通帳の表面状態になるべく影響を受けない印刷技術が求められており、
この印刷技術の一つとして中間転写リボンを用いるものが知られている。
【０００４】
この印刷技術に用いられる印刷装置は印刷部と転写部とを備え、印刷部はサーマルヘッドとインクリボンとを有し、転写部はヒートローラとバックアップローラとを有している。
【０００５】
インクリボンと中間転写リボンとが重ねられた状態で印刷部に送り込まれ、この印刷部でサーマルヘッドが画像情報に応じて発熱されインクリボンのインクが溶融されることにより中間転写リボンの表面に画像が形成される。この画像が形成された中間転写リボンは被転写体と重ねられて、転写部のヒートローラとバックアップローラとの間に送り込まれる。この状態からヒートローラが回転されて中間転写リボン及び被転写体がバックアップローラとヒートローラとの間で加圧および加熱されて画像が被転写体の表面に転写される。
【０００６】
ところで、中間転写リボンは、基材フィルムと、この基材フィルム上に塗布される剥離層とこの剥離層の上に塗布される受像層とを有して構成され、転写部において被転写体に画像が転写される際には、受像層が剥離することにより画像が受像層とともに被転写体に転写される。
【０００７】
しかし、画像転写時にヒートローラとバックアップローラとの間で加圧および加熱された中間転写リボンと被転写体とを剥離する際、受像層が所定温度より熱いときれいに剥離出来ず、きれいに転写できないという問題があった。
【０００８】
これを改善するために、転写部を通過した中間転写リボンと被転写体を密着状態のまま一時的に保留する保留部と、この保留部で保留され、温度が下がった中間転写リボンと被転写体を剥離する剥離機構を備えている印刷装置が知られている（例えば、特許文献１参照）
【特許文献１】特開２００３−１０３８１１
【発明の開示】
【発明が解決しようとする課題】
【０００９】
しかしながら、従来の装置では剥離時点の機械内の温度を十分に下げることが出来ても転写前の被転写体の温度が過度に低い場合、転写部で転写に必要な熱エネルギーを十分に与えることが出来ず、転写不良を起こすことがあったが、その対応手段をもっていなかった。また剥離時点の中間転写リボンの温度を下げる方法は一定時間放置という方法をとっていたため、温度が十分下がるまでに長時間を要していた。
【００１０】
この発明は、以上の点に鑑みなされたもので、その目的は、印刷装置内の温度に影響されず、画像転写時に中間転写リボンと被転写体を短時間で良好に転写できる印刷装置を提供することを目的とする。
【課題を解決するための手段】
【００１１】
前記目的を達成するために、本発明の第一の発明によれば、印刷装置は中間転写リボンに画像を印刷する印刷部と、この印刷部により印刷された前記中間転写リボンを被転写体に重ねて中間転写リボンを加熱することにより画像を被転写体の転写位置に転写する転写部と、この転写部で転写後に前記中間転写リボンと前記被転写体とを剥離する剥離機構と前記転写部と前記剥離機構との間に設けられた被転写体冷却部と、この被転写体冷却部に設けられ前記転写部で加熱された中間転写リボンを冷却する強制冷却装置とを有することを特徴とする。
【００１２】
また本発明の第二の発明によれば、印刷装置は中間転写リボンに画像を印刷する印刷部と、
この印刷部により印刷された前記中間転写リボンを被転写体に重ねて加熱部によって中間転写リボンを加熱することにより画像を被転写体の転写位置に転写する転写部と、前記被転写体の前記転写部への搬入経路近傍に設けられ、装置内の温度を検出する第２の検出手段と、この第２の検出手段による検出結果に基づいて、前記加熱部通過時の中間転写リボン及び被転写体の搬送速度を決定する制御部とを有することを特徴とする。
【発明の効果】
【００１３】
本発明によれば、画像転写時に中間転写リボンと被転写体を短時間で良好に転写できる印刷装置を提供することが出来る。
【発明を実施するための最良の形態】
【００１４】
以下、図を参照しながらこの発明の実施の形態について詳細に説明する。
【００１５】
図１には、被転写体として、例えば通帳Ｔに所持者の氏名・住所等の情報や写真を印刷する印刷装置２０を組み込んだ通帳印刷システム１０（以下、単にシステム１０と称する）を示してある。
【００１６】
システム１０は、閉じた状態の複数通の通帳Ｔを積層状態で収容し、システム１０内に一通ずつ取込む通帳取り込み部１２、およびこの通帳取込部１２から図１中右方に延びた搬送路１１を有している。搬送路１１上には通帳取込部１２から取込まれた通帳Ｔを正逆両方向に搬送するための複数の媒体搬送ローラ対１３ａ、１３ｂ、１３ｃ、１３ｄ、１３ｅ（搬送機構）が配設されている。以下の説明では、通帳取込部１２から後述する印刷装置２０に向う図１中右方向を正方向とし、反対方向を逆方向とする。
【００１７】
システム１０は、搬送路１１に沿って、通帳Ｔの開かれたページを検出するためのページ検出センサ１４およびページめくり機構１５を有するページめくり部１６、ページめくり部１６にて所定のページが開かれた通帳Ｔに対して所定の情報を印刷する印刷装置２０を備えた画像形成部、および所望するページに情報を印刷した通帳Ｔを排出する通帳排出部を有する。
【００１８】
ページ検出センサ１４は、通帳Ｔの開かれたページの画像を検出し、その画像データを後述する制御部へ送る。後述する制御部では、この画像データに基づいて、当該ページの所定位置に付与された図示しないバーコードから通帳Ｔの開かれたページを認識する。
【００１９】
ページめくり機構１５は、搬送路１１の下方に配設されたバックアッププレート１７、搬送路１１の上方に配設されためくりローラ１８、およびバックアッププレート１７の揺動の中心に設けられた支点１９ａを中心に揺動自在であるとともに、その揺動の先端にめくりローラ１８を回動自在に取付けた揺動軸１９を有している。揺動軸１９が図１中破線で示す位置に図示しないモータによって揺動されると、めくりローラ１８が揺動されるとともにバックアッププレート１７がそれに連動して揺動される。また、めくりローラ１８は、図示しないモータによって時計回り或いは反時計回り方向に回転可能となっている。
【００２０】
このページめくり機構１５によって通帳Ｔのページをめくる場合、まず、通帳Ｔをページめくり機構１５内の所定位置まで搬送して停止させ、例えば図１中破線で示すように揺動軸１９を図中左方向へ揺動してめくりローラ１８を通帳Ｔの上に押し当てる。このとき、揺動軸１９の揺動にともない、バックアッププレート１７も揺動され、傾いたバックアッププレート１７によって通帳Ｔの背面が上方へ押し上げられる。
【００２１】
この状態で、通帳Ｔの搬送方向上流側のページに押し当てられためくりローラ１８を回転し、通帳Ｔの最上端のページのめくり動作を開始する。このめくり動作によって当該ページがせり上がるように膨らみ、ある程度めくられたところでめくりローラ１８を停止する。さらに、この状態から揺動軸１９を図中実線で示す位置に戻した後、めくりローラ１８を再度回転し、当該ページをめくりローラ１８上に完全にめくり上げる。
【００２２】
そして、通帳Ｔを逆方向に搬送し、めくりローラ１８上にめくり上げたページを完全に開くとともに、開いたページの画像データをページ検出センサ１４を介して検出し、バーコードを読取って開いたページを確認する。これにより、通帳Ｔの所望するページを自動的に開くことができるとともに開いたページを認識できる。このようにして所望するページが開かれた通帳Ｔは、後述する印刷装置２０へ搬送されて所定の情報が所望するページに印刷される。
【００２３】
なお、ページめくり機構１５を上述した動作と逆に動作させることにより、通帳Ｔのページを逆方向にもめくることもできる。
【００２４】
図２は印刷装置２０を拡大して示す構成図である。
【００２５】
この印刷装置２０は、印刷部３と、この印刷部３の下方に設けられた転写・剥離部４と、を有する。
【００２６】
印刷部３は、サーマルヘッド５を有し、このサーマルヘッド５にはプラテンローラ６が対向配置されている。サーマルヘッド５とプラテンローラ６との間には例えばＹ（イエロー），Ｍ（マゼンタ），Ｃ（シアン），Ｂｋ（クロ）各色の溶融インクを塗工したインクリボン７が介在されている。インクリボン７はその一端部が送出軸８に巻き付けられ、他端部が巻取軸９に巻き付けられている。
【００２７】
なお、インクリボン７としては、単色インクのみのリボンでも良く、また、紫外線によって発光する蛍光顔料インク、さらに、光沢面を持つ印刷用の金属薄膜（アルミ蒸着）層、或いは、印刷用のホログラム層等の機能を有するリボン材料であっても良い。
【００２８】
一方、転写部４Aと剥離部４Bは、転写部４Aとしてのヒートローラ２６を備え、このヒートローラ２６の下方にバックアップローラ２７が位置している。ヒートローラ２６は、内部にヒータ２６Ｃを有し、その外周の一部が切り取られた形状のカット面２６Aが形成されている。ヒートローラ２６の残りの湾曲した外周部分２６Ｂの長さは、通帳Ｔの搬送方向に沿った画像転写エリアの長さと略同じ長さになっている。転写位置とは、通帳Ｔのページ内で画像を形成可能なエリアを指す。
【００２９】
このヒートローラ２６とバックアップローラ２７との間には中間転写リボンとしての中間転写リボン２８が介在されている。中間転写リボン２８は、ポリエステル素材からなる長尺の基材フィルム２８ａを有し、この基材フィルム２８ａの表面には、フェノキシ系樹脂からなる剥離層２８ｂを介して、ポリエステル系樹脂からなる受像層２８ｃが順に塗布されている。受像層には上述した印刷部３を介して画像が印刷される。受像層の転写部位は、印刷された画像を通帳Ｔの所定の頁に転写するため、基材フィルムから剥離されて画像とともに通帳Ｔに転写されるようになっている。
【００３０】
なお、中間転写リボン２８には、ホログラム層や紫外線によって発光する蛍光発色層などの機能層を設けることにより、通帳Ｔへの画像転写に基づきこれらの機能層も転写することが可能である。
【００３１】
中間転写リボン２８の一端側は印刷部３近くに設けられた送出軸３０に巻き付けられ、他端側は転写・剥離部４近くに設けられた巻取軸３１に巻き付けられている。中間転写リボン２８の中途部は、プラテンローラ６、ガイドシャフト３２ａ〜３２ｂ、剥離シャフト３３（剥離部材）、およびリボンテンショナ３４に掛け渡されている。つまり、中間転写リボン２８は、図２中矢印方向に常時付勢されるリボンテンショナ３４によって所定の張力が与えられており、印刷部３において、プラテンローラ６の外周とインクリボン７との間に介在されている。また、中間転写リボン２８は、２組の媒体搬送ローラ対１３ｄ、１３ｅ間において、搬送路１１の上方に離間して平行に延びている。
【００３２】
ヒートローラ２６は印刷待機時においては、カットされたカット面２６Ａを中間転写リボン２８を介して搬送路１１に対し並行に対向させている（図２に示す姿勢）。これにより、ヒートローラ２６とバックアップローラ２７との間には隙間が形成されている。このとき、中間転写リボン２８はヒートローラ２６とバックアップローラ２７に接触しないとともに、印刷開始時に進入してくる通帳Ｔの表面にも接触しない位置に配置されている。
【００３３】
ヒートローラ２６より図２中左側、すなわち通帳Ｔの転写部への搬送経路近傍にはその位置での装置内の温度を検出するためのサーミスタ３８ａ（第２の検出手段）が配設されている。
【００３４】
このサーミスタ３８ａにより検知された温度情報は後述する制御部に送られヒートローラ２６の回転スピード、すなわち、中間転写リボン２８と通帳Ｔの搬送速度が制御される。
【００３５】
さらに、転写部であるヒートローラ２６の通帳Ｔの搬送方向下流側と、剥離部である剥離シャフト３３の上流側との間には、転写部を通過した中間転写リボン２８と通帳Ｔとを重ねた状態で搬送を一時停止させて保留する被転写体冷却部１１１が設けられている。また、この被転写体冷却部１１１の上方には被転写体冷却部近傍の温度を検出するサーミスタ３８ｂ（第１の検知手段）が設けられ、検出された温度情報は後述する制御部に送られ、被転写冷却部１１１での中間転写リボン２８と通帳Ｔの一時停止時間が制御される。
【００３６】
被転写体冷却部１１１の上方には被転写体冷却部１１１に一時停止された中間転写リボン２８と通帳Ｔの転写位置に空気を強制的に送ることによって中間転写リボン２８を強制冷却する冷却ファン１００（強制冷却装置）が設けられている。また、この冷却ファン１００と被転写体冷却部１１１との間には冷却ファン１００で発生された風を被転写体冷却部１１１に集中的に導くためのダクト部１０１が設けられている。このダクト部１０１を設けることによって被転写体冷却部１１１に一時停止された中間転写リボン２８と通帳Ｔの転写位置を集中的に冷却できるとともに、溶融状態にある中間転写リボン２８の受像層２８Ｃにごみが混入しにくくなり、印刷画像に悪影響を与えないという効果も得られる。
【００３７】
その冷却ファン１００より転写後の中間転写リボンの受像層を所定温度まで下げることが可能である。
【００３８】
図３に示すように、中間転写リボン２８の巻取軸３１の一端側には、トルクリミッタ４０、および２つの互いに歯合したギア４１、４２を介して、パルスモータ４３が接続されている。また、巻取軸３１の他端側には、カップリング４４を介して、巻取軸３１の実際の回転速度を検出するためのロータリーエンコーダ４５が取り付けられている。
【００３９】
パルスモータ４３は、図２に示した中間転写リボン２８に適度な張力を与えるため、中間転写リボン２８の走行速度が印刷部３のインクリボン７の走行速度および搬送路１１を搬送される通帳Ｔの搬送速度より速くなるような速度で巻取軸３１を回転させようとする。しかし、中間転写リボン２８は、トルクリミッタ４０の作用によって、通帳Ｔの搬送速度と同じ速度で走行される。一方、中間転写リボン２８を一定速度で走行させる場合、巻取軸３１の回転速度は、巻取軸３１に巻き取られた中間転写リボン２８の巻径に応じて変化される。言い換えると、巻取軸３１の実際の回転速度をロータリーエンコーダ４５で検出することで、巻取軸３１に巻回された中間転写リボン２８の巻径を測定できる。
【００４０】
図４には、前記のように構成された印刷装置２０を含むシステム１０の動作を制御する制御系のブロック図を示してある。
【００４１】
システム１０の制御部５０には、上述した通帳取り込み部１２、およびページめくり部１６の各構成要素が接続されている。また、制御部５０には、搬送路１１を介して通帳Ｔを搬送させるための複数の媒体搬送ローラ対１３ｄ、１３ｅを正逆両方向に回転させるためのパルスモータ５１が接続されている。
【００４２】
また、制御部５０には、印刷部３のインクリボン７を巻き取る巻取軸９を回転させるためのパルスモータ５２、中間転写リボン２８を送り出す送出軸３０を送り出し方向と逆の巻き取り方向に回転させるためのパルスモータ５３、および中間転写リボン２８を巻き取る巻取軸３１を回転させるためのパルスモータ４３が接続されている。
【００４３】
さらに、制御部５０には、印刷部３のサーマルヘッド５、ヒートローラ２６を回転させるためのパルスモータ５５、中間転写リボン２８の巻取軸３１に取り付けられたロータリーエンコーダ４５、剥離させるための図６に示すような剥離機構５６、およびサーミスタ３８ａ、３８ｂが接続されている。
【００４４】
また制御部５０にはサーミスタ３８ａにて検出される温度とヒートローラ２６の回転速度とを対応付けた速度テーブル、および図７に示すようなサーミスタ３８ｂにて検出される温度と被転写体冷却部１１１での一時停止時間（待ち時間）とを対応付けた待ち時間テーブルが記憶された記憶部５００が接続されている。
【００４５】
なお、中間転写リボン２８の巻取軸３１を回転させるためのパルスモータ４３は、巻取軸３１とともに走行機構として機能する。また、このパルスモータ４３は、上述した剥離シャフト３３、巻取軸３１、複数の媒体搬送ローラ対１３ｄ、１３ｅ、およびパルスモータ５１とともに、剥離機構として機能する。
【００４６】
次に、前記印刷装置２０の動作について、主に、図２、図５、図６および図７を参照して説明する。
【００４７】
動作前の待機状態において、ヒートローラ２６のカット面２６Ａが搬送路１１に対向する姿勢にヒートローラ２６が設定されている。また、ヒートローラ２６は、ヒータ２６Ｃに通電することにより、所定温度（本実施の形態では１５０℃）まで昇温されている。
【００４８】
この状態で、インクリボン７と中間転写リボン２８とがサーマルヘッド５によってプラテンローラ６に押し当てられ、プラテンローラ６が所定の速度で回転されて中間転写リボン２８およびインクリボン７が走行され、サーマルヘッド５によって中間転写リボン２８の受像層２８ｃ上に画像が印刷される。これと同時にインクリボン７の巻取軸９と中間転写リボン２８の巻取軸３１が回転され、プラテンローラ６によって搬送されたインクリボン７と中間転写リボン２８とをそれぞれ巻き取る。印刷された画像は、中間転写リボン２８の走行によって、ヒートローラ２６とバックアップローラ２７との間の転写領域へ搬送されて所定の転写部で停止される。
【００４９】
このとき、中間転写リボン２８の巻取軸３１はプラテンローラ６による走行速度より速い走行速度になるような回転速度で回転されているが、実際はトルクリミッタ４０の作用によりプラテンローラ６による走行速度で回転する。このとき制御部５０にて、この中間転写リボン２８の巻取軸３１の実際の回転速度がロータリーエンコーダ４５を介して検出され、巻取軸３１に巻き取られている中間転写リボン２８の巻径が検出される。
【００５０】
一方、所定のページが開かれた通帳Ｔが搬送路１１を介して搬送され、画像を形成するページの先端がヒートローラ２６の真下に配置された状態で停止される。制御部５０は転写部への搬入経路近傍に設けられたサーミスタ３８ａで装置内の温度を検出し、記憶してある図６の速度テーブルから適切な回転速度を読み出す。この読み出された速度にあわせてヒートローラ２６と媒体搬送ローラ１３ｄを回転させて中間転写リボン２８と通帳Ｔとを搬送する。このとき、巻取軸３１が予め検出した巻径に基づく回転速度で回転され、中間転写リボン２８が通帳Ｔの搬送速度と同じ速度で走行される。
【００５１】
これにより、中間転写リボン２８が加熱されて通帳Ｔに押圧され、画像が印刷された受像層２８ｃの部分、図５の転写部位２８０が画像とともに通帳Ｔに転写される。画像転写後、巻取軸３１の回転が停止されて中間転写リボン２８が停止され、同時に、媒体搬送ローラ対１３ｅの回転も停止されて通帳Ｔが停止される。この状態では通帳Ｔおよび中間転写リボン２８は、密着されている。なお、ヒートローラ２６は、次回の処理に備えてカット面２６Ａが搬送路１１に対面する姿勢に回転されて停止される。よって通帳Ｔに転写された転写部位２８０は剥離シャフト３３より搬送方向上流側の被転写体冷却部１１１上で停止される。
【００５２】
このとき制御部は、サーミスタ３８ｂで転写部への搬入経路近傍の温度を検出し、記憶部５００に記憶してある待ち時間テーブルから検出した温度記憶させてある待ち時間を読み出し、中間転写リボンと通帳Ｔを密着させたまま所定時間、被転写体冷却部１１１に停止させる。その間、冷却ファン１００で中間転写リボンは安定した剥離ができる温度以下にできる。
【００５３】
そして、記憶部５００の待ち時間テーブルから読み出した時間の間、中間転写リボン２８が冷却されたことを条件に、通帳Ｔと、中間転写リボン２８の走行が再開される。このとき、巻取軸３１が中間転写リボンの巻径に基づく回転速度で回転され、中間転写リボン２８の走行速度が通帳Ｔの搬送速度と同じにされる。
【００５４】
中間転写リボン２８は、剥離シャフト３３の位置で通帳Ｔの搬送方向とは異なる角度方向に指向される。これにより、中間転写リボン２８と通帳Ｔとが分離され、通帳Ｔに転写された画像を含む転写部位２８０と中間転写リボンの基材フィルム２８ａとが剥離される。
【００５５】
剥離後、必要に応じて、中間転写リボン２８の送出軸３０がリボンを巻き取る方向（逆方向）に回転され、中間転写リボン２８が所定距離だけ巻き取られる。つまり、剥離シャフト３３で通帳Ｔから分離された中間転写リボン２８は、剥離によって基材フィルム２８ａから受像層２８ｃが無くなった部分より上流側の部分は使用可能なため、この部分がサーマルヘッド５に対向する位置まで中間転写リボン２８が巻き取られる。
【００５６】
以上のような実施例によると、中間転写リボン２８と通帳Ｔとを剥離させる前に被転写体冷却部１１１上に設置された冷却ファン１００で、中間転写リボン２８を十分に冷却してから剥離することが出来る。冷却ファン１００で強制冷却することにより中間転写リボン２８をより短時間で良好な剥離することが出来、転写部位２８０に接着した通帳Ｔが中間転写リボン２８によって引っ張られる等の不具合を防止できる。また、中間転写リボン２８と通帳Ｔが良好に剥離できることから、通帳Ｔの材質の選択の自由度を増すことができ、比較的腰の弱い紙にも転写することが出来る。
【００５７】
なお冷却ファン１００は一定速度で常時駆動、温度によっては省力運転や風力を上げた運転、被転写媒体の変更に対応するための手動制御による運転も可能である。
【００５８】
また冷却装置であれば、冷却ファンのみでなく、電子冷却装置や水冷装置や冷房装置によって被転写体冷却部での装置内の温度を下げる等の冷却による応用等も可能である。
【００５９】
図８は冷却シートを使用した場合の構成図である。下部に冷却効能のあるゲル等を含んだシート１００ａを上部搬送路ガイド１０２に設置し、冷却を行う。図９は強制冷却装置として水冷装置を使用した場合の図である。ポンプ１００b１より水路パイプ１００b２に冷却液を通すことで冷却する。図１０は強制冷却装置としてペルチェ効果を用いた電子冷却装置を設置し使用した場合の図である。被転写体冷却部の上部の搬送路ガイドに電子冷却装置１００ｃを設置し冷却を行う。また冷却装置の設置位置は上方のみでなく下方又は横方等でも可能であり、また複数の冷却方法を同時にしようすることも可能である。
【００６０】
さらに、本実施例ではサーミスタ３８ａが転写直前の装置内の温度を検出して適切な搬送速度を設定して、ヒートローラと媒体搬送ローラ１３を低温ほど低速度で回す等の制御が出来るため、装置内温度が変化しても一旦印刷媒体側へ転写された画像が中間転写フィルム側に戻ってしまう転写抜けを防ぐことが出来る。また制御部の設定を変えることにより一つの印刷装置で印刷が可能となる媒体の材料の種類は増える。
【００６１】
また実施例のサーミスタのような温度検出手段のみでなく湿度を検出できる手段を設ける等検出手段の応用を行うことにより、より正確な速度を導き出すことが出来る。
【００６２】
また速度テーブルの設定を変化させることによって、カード等にも適応させることが可能である。
【００６３】
その他、本実施例は、その要旨の範囲内で種々変形実施可能なことは勿論である。
【図面の簡単な説明】
【００６４】
【図１】本発明の一実施の形態に係る印刷装置を備えた通帳印刷システムを示す概略図。
【図２】図１のシステムに組み込まれた印刷装置の構造を示す概略図。
【図３】図２の印刷装置に組み込まれた中間転写リボンの巻取軸の駆動構造を概略的に示す図。
【図４】図１のシステムの動作を制御する制御系を示すブロック図。
【図５】図２の印刷装置による転写・剥離動作を説明するための図。
【図６】第２の検出手段によって検出された温度とヒートローラの速度の関係を示す速度テーブル図。
【図７】第１の検出手段によって検出された温度と待ち時間の関係を示す待ち時間テーブル図。
【図８】冷却シートを使用した被媒体冷却部を示す図
【図９】水冷装置を使用した被媒体冷却部を示す図
【図１０】電子冷却装置を使用した被媒体冷却部を示す図1
【符号の説明】
【００６５】
３…印刷部、４…転写・剥離部、２６…ヒートローラ、３８ａ…サーミスタ（第２検出手段）、３８ｂ…サーミスタ（第１検出手段）、５０…制御部、１００…冷却ファン、１０１…ダクト、１１１…被転写体冷却部、５００…記憶部
【図１】
2008055731.tif 000003
【図２】
2008055731.tif 000004
【図３】
2008055731.tif 000005
【図４】
2008055731.tif 000006
【図５】
2008055731.tif 000007
【図６】
2008055731.tif 000008
【図７】
2008055731.tif 000009
【図８】
2008055731.tif 000010
【図９】
2008055731.tif 000011
【図１０】
2008055731.tif 000012